(57)【要約】【課題】組立てラックの外表部材を組立てる際に、その外表部材を構成する一列に並べた複数枚の板材に宛がわれた長尺材が反っている場合でも、強度や耐久性能を低下させることなく、複数枚の板材に対して長尺材を極力真っ直ぐに固定する技術を提供すること。【解決手段】押圧部３０が、長尺材１１４の長手方向に沿って長尺材１１４の一端１１４ａ側から他端１１４ｂ側へ向けて移動しながら、３つのローラ部材３１，３２，３３によって長尺材１１４を三方から押圧してその反りを矯正する。そして、押圧部３０と連動して移動する釘打ち機４０が、長尺材１１４に上面１１４ｄから釘を打ちつけて板材１１１，１１２，１１３へ固定していく。【選択図】図３
2009143113.tif 000002
【特許請求の範囲】
【請求項１】
一列に並べた複数枚の板材からなる略直方体の組立てラックの外表部材へ前記複数枚の板材が並ぶ方向に沿って宛がわれた長尺材の一端の位置を決める位置決め手段と、
前記位置決め手段によってその一端が位置決めされた前記長尺材の一端側から他端側へ向けて移動しながら、前記長尺材の反りを矯正するために前記長尺材の両側面および上面を押圧する押圧手段と、
前記位置決め手段によってその一端が位置決めされた前記長尺材の一端側から他端側へ向けて前記押圧手段と連動して移動しながら、前記外表部材を構成する複数枚の板材へ前記長尺材の前記押圧手段によって押圧されている部分を順に固定していく固定手段と、
を特徴とする組立てラックの外表部材組立装置。
【請求項２】
請求項１に記載の組立てラックの外表部材組立装置において、
前記押圧手段および前記固定手段は二組存在し、
一組目の前記押圧手段および前記固定手段と二組目の前記押圧手段および前記固定手段とは連動して作動可能であり、
前記一組目の前記押圧手段および前記固定手段は、前記組立てラックの対向する一組の板材のうちの一方に対して用いられ、一方、前記二組目の前記押圧手段および前記固定手段は、前記組立てラックの対向する一組の板材のうちの他方に対して用いられること
を特徴とする組立てラックの外表部材組立装置。
【請求項３】
請求項１または請求項２に記載の組立てラックの外表部材組立装置において、
前記押圧手段は、前記長尺材の長手方向に沿って回転可能な円筒状のローラ部材を少なくとも３つ有し、前記３つのローラ部材がそれぞれ前記長尺材の両側面および上面を押圧するよう構成されていることを特徴とする組立てラックの外表部材組立装置。
【請求項４】
請求項１〜請求項３の何れかに記載の組立てラックの外表部材組立装置において、
前記固定手段は、前記長尺材に釘を打ちつけて前記板材へ固定することを特徴とする組立てラックの外表部材組立装置。
【発明の詳細な説明】
【技術分野】
【０００１】
本発明は、組立てラックの外表部材を組立てる際に、その外表部材を構成する一列に並べた複数枚の板材に宛がわれた長尺材が反っている場合でも、強度や耐久性能を低下させることなく、複数枚の板材に対して長尺材を極力真っ直ぐに固定する技術に関する。
【背景技術】
【０００２】
従来より、床部材と、天部材と、床部材と天部材とを連結する壁部材から構成される組立てラックが知られている。このような組立てラックの中には、床部材や天部材などの外表部材が一列に並べた複数枚の板材から構成され、外表部材の端部へ複数枚の板材が並ぶ方向に沿って宛がわれた長尺材を取り付けた構造を有するものがある。
【特許文献１】特開２００４−２１６８６１号公報（第５頁、図８）
【発明の開示】
【発明が解決しようとする課題】
【０００３】
しかし、上述のような組立てラックにおいては、長尺材が反っている場合、外表部材に対して長尺材を真っ直ぐに固定できないという問題があった。そして、このことが起因して、例えば底部材を構成する複数枚の板材へ固定した長尺材と、天部材を構成する複数枚の板材へ固定した長尺材との位置関係が合わないときがある。このような場合、底部材と天部材との間に壁部材を取り付けにくくなる。
【０００４】
なお、このような長尺材の反りを矯正するために、背割りを入れることや、長尺材の各面に対して多数の表面傷をつけることも考えられるが（例えば、特許文献１参照。）、長尺材の反りを矯正するためには、深い背割りを入れたり、深い表面傷を相当数つけたりする必要があり、長尺材の強度や耐久性能が低下するおそれがある。さらに、加工装置が複雑になるという問題がある。
【０００５】
本発明は、このような課題に鑑みなされたものであり、その目的とするところは、組立てラックの外表部材を組立てる際に、その外表部材を構成する一列に並べた複数枚の板材に宛がわれた長尺材が反っている場合でも、強度や耐久性能を低下させることなく、複数枚の板材に対して長尺材を極力真っ直ぐに固定する技術を提供することにある。
【課題を解決するための手段】
【０００６】
上記課題を解決するためになされた請求項１に係る組立てラックの外表部材組立装置は、一列に並べた複数枚の板材からなる略直方体の組立てラックの外表部材へ前記複数枚の板材が並ぶ方向に沿って宛がわれた長尺材の一端の位置を決める位置決め手段と、前記位置決め手段によってその一端が位置決めされた前記長尺材の一端側から他端側へ向けて移動しながら、前記長尺材の反りを矯正するために前記長尺材の両側面および上面を押圧する押圧手段と、前記位置決め手段によってその一端が位置決めされた前記長尺材の一端側から他端側へ向けて前記押圧手段と連動して移動しながら、前記外表部材を構成する複数枚の板材へ前記長尺材の前記押圧手段によって押圧されている部分を順に固定していく固定手段と、を特徴とする。
【０００７】
このように構成された本発明の組立てラックの外表部材組立装置によれば、長尺材の反りや位置を矯正しながら外表部材を構成する複数枚の板材へ順に固定することができる。したがって、組立てラックの外表部材を組立てる際に、その外表部材を構成する一列に並べた複数枚の板材に宛がわれた長尺材が反っている場合でも、強度や耐久性能を低下させることなく、複数枚の板材に対して長尺材を極力真っ直ぐに固定することができる。さらに、対向する外表部材に対して固定する長尺材の上下方向の位置合わせを適切に行うことができ、組立てラックの対向する外表部材（床部材と天部材）の間に他の外表部材（壁部材）を取り付けやすくなる。
【０００８】
ところで、例えば、組立てラックの外表面としての底部材と天部材とを別々に組立てる場合には、底部材を構成する板材へ固定した長尺材と、天部材を構成する板材へ固定した長尺材との上下方向の位置関係がさらに合いにくくなるおそれがある。このような場合、底部材と天部材との間に壁部材を取り付けにくくなる度合いが高くなるおそれがある。
【０００９】
そこで、請求項２のように、押圧手段および固定手段を二組用意し、一組目の押圧手段および固定手段を組立てラックの対向する一組の外表部材のうちの一方に対して用い、二組目の押圧手段および固定手段を組立てラックの対向する一組の外表部材のうちの他方に対して用いることが考えられる。
【００１０】
このように構成すれば、対向する外表部材に対して固定する長尺材の上下方向の位置合わせをより適切に行うことができ、したがって、組立てラックの対向する外表部材（床部材と天部材）の間に他の外表部材（壁部材）をさらに取り付けやすくなる。
【００１１】
なお、押圧手段は、長尺材の長手方向に沿って回転可能な円筒状のローラ部材を少なくとも３つ有し、これら３つのローラ部材がそれぞれ長尺材の両側面および上面を押圧するよう構成されていることが考えられる（請求項３）。このように構成すれば、長尺材に対して押圧手段をスムーズに移動させることができる。
【００１２】
また、固定手段は、長尺材に釘を打ちつけて板材へ固定することが考えられる（請求項４）。このように構成すれば、長尺材を板材へより強固に固定することができる。
【発明を実施するための最良の形態】
【００１３】
以下に本発明の実施形態を図面とともに説明する。
［第一実施形態］
図１（ａ）は組立てラック１００を示す斜視図であり、図１（ｂ）は組立てラック１００の床部材１１０を示す斜視図である。また、図２は組立てラックの組立装置１を示す斜視図であり、図３は組立てラックの組立装置１を示す正面図である。
【００１４】
［組立てラック１００の構成の説明］
図１（ａ）に示すように、組立てラック１００は、当該組立てラック１００の床を構成する床部材１１０と、床部材１１０の上方を覆う天部材１２０と、床部材１１０と天部材１２０とを連結する４つの壁部材１３０，１４０，１５０，１６０から構成される。なお、組立てラック１００の外形寸法については、その内部に内包される物品の外形寸法に応じて設定される。なお、これら床部材１１０、天部材１２０および壁部材１３０，１４０，１５０，１６０が特許請求の範囲の「外表部材」に該当する。
【００１５】
このうち床部材１１０は、図１（ｂ）に示すように、一列に並べたベニヤ板などの３枚の板材１１１，１１２，１１３が並ぶ方向に沿って宛がわれた木製の２本の長尺材１１４を、釘などでこれら３枚の板材１１１，１１２，１１３に取り付けた構造を有する。
【００１６】
なお、本実施形態では、天部材１２０、壁部材１３０，１４０，１５０，１６０についても、上述の床部材１１０と同様の構造を有しているが、ここではその詳細な説明は省略する。
【００１７】
［組立てラックの組立装置１の構成の説明］
組立てラックの組立装置１は、上述の組立てラック１００の床部材１１０と天部材１２０とを同時に組み立てる機能を有する。より具体的には、図２に示すように、組立てラックの組立装置１は、床部材１１０を組み立てる床部材用組立てユニット３と、天部材１２０を組み立てる天部材用組立てユニット５と、を備える。以下、順に説明する。
【００１８】
［床部材用組立てユニット３の構成の説明］
図３に示すように、床部材用組立てユニット３は、床部材位置決め部１０、長尺材位置決め部２０、押圧部３０、釘打ち機４０、を備える。
【００１９】
［床部材位置決め部１０の構成の説明］
床部材位置決め部１０は、第一位置決め部１１と、第二位置決め部１２と、第三位置決め部１３と、横方向移動機構１４と、前後方向移動機構１５と、を有し、床部材１１０を構成する一列に並べた３枚の板材１１１，１１２，１１３の位置を決める機能を有する。
【００２０】
このうち第一位置決め部１１は、床部材１１０を構成する一列に並べた３枚の板材１１１，１１２，１１３が並ぶ方向に沿って宛がわれ、その並ぶ方向に直交する水平方向に板材１１１，１１２，１１３が移動するのを規制する。また、第二位置決め部１２は、３枚の板材１１１，１１２，１１３が並ぶ方向に沿って手前側へ板材１１１，１１２，１１３が移動するのを規制する。また、第三位置決め部１３は、３枚の板材１１１，１１２，１１３が並ぶ方向に沿って向こう側へ板材１１１，１１２，１１３が移動するのを規制する。
【００２１】
また、横方向移動機構１４は、上述の床部材１１０を構成する一列に並べた３枚の板材１１１，１１２，１１３を横方向に移動させて所望の位置で停止させるようになっている。また、前後方向移動機構１５は、上述の床部材１１０を構成する一列に並べた３枚の板材１１１，１１２，１１３を横方向に移動させて所望の位置で停止させるようになっている。
【００２２】
［長尺材位置決め部２０の構成の説明］
長尺材位置決め部２０は、第一位置決め部２１と、第二位置決め部２２と、長尺材搬送部２３と、を有し、長尺材１１４の位置を決める機能を有する。このうち第一位置決め部２１は、その先端部がコの字状に形成されており、その先端部の内部に長尺材１１４の一端１１４ａを嵌め込むことで、長尺材１１４の一端１１４ａを固定して位置決めすることができる。また、第二位置決め部２２は、第一位置決め部２１によってその一端が位置決めされた長尺材１１４の他端１１４ｂに当接することで、その長尺材１１４がその長手方向に沿って移動するのを規制するとともに、後述する押圧部３０によって反りが矯正された長尺材１１４の他端側が振れるのを容認するようになっている。さらに、長尺材搬送部２３は、その先端部が下向のコの字状に形成されており、空気圧を調整することなどによりコの字の間の間隔を変化させて長尺材１１４を挟んだり手離したりするようになっている。そして、長尺材搬送部２３は、長尺材１１４を保持した状態で搬送することができるようになっている。なお、長尺材位置決め部２０は位置決め手段に該当する。
【００２３】
［押圧部３０の構成の説明］
押圧部３０は、長尺材１１４の長手方向に沿って長尺材１１４の一端１１４ａ側から他端１１４ｂ側へ向けて移動可能であり、長尺材１１４の長手方向に沿って回転可能な円筒状の５つのローラ部材３１，３２，３３を有している。具体的には、２つのローラ部材３１，３１は、長尺材１１４の左側面１１４ｃに当接しながら回転するよう構成されている。また、ローラ部材３２は、長尺材１１４の上面１１４ｄに当接しながら回転するよう構成されている。また、２つのローラ部材３３，３３は、長尺材１１４の右側面１１４ｅに当接しながら回転するよう構成されている。
【００２４】
以上のように構成された押圧部３０は、長尺材１１４の長手方向に沿って長尺材１１４の一端１１４ａ側から他端１１４ｂ側へ向けて移動しながら、３つのローラ部材３１，３２，３３によって長尺材１１４を三方から押圧してその反りを矯正するようになっている。なお、押圧部３０は押圧手段に該当する。
【００２５】
［釘打ち機４０の構成の説明］
釘打ち機４０は、長尺材１１４の長手方向に沿って長尺材１１４の一端１１４ａ側から他端１１４ｂ側へ向けて押圧部３０と連動して移動可能であり、移動しながら長尺材１１４に上面１１４ｄから釘を打ちつけて板材１１１，１１２，１１３へ固定していくことができる。なお、釘打ち機４０は固定手段に該当する。
【００２６】
［天部材用組立てユニット５の構成の説明］
天部材用組立てユニット５の各部については、図２に示すように、床部材用組立てユニット３と同様に構成されているので、その詳細な説明は省略する。また、天部材用組立てユニット５は、床部材用組立てユニット３と対称に構成されており、各部が床部材用組立てユニット３と連動して作動するようになっている。
【００２７】
［第一実施形態の効果］
（１）このように第一実施形態の組立てラックの組立装置１によれば、押圧部３０が、長尺材１１４の長手方向に沿って長尺材１１４の一端１１４ａ側から他端１１４ｂ側へ向けて移動しながら、３つのローラ部材３１，３２，３３によって長尺材１１４を三方から押圧してその反りを矯正し、釘打ち機４０が、押圧部３０と連動して移動しながら、長尺材１１４に上面１１４ｄから釘を打ちつけて板材１１１，１１２，１１３へ固定していく。したがって、組立てラック１００の床部材１１０や天部材１２０を組立てる際に、床部材１１０や天部材１２０を構成する長尺材１１４が反っている場合でも、強度や耐久性能を低下させることなく、組立てラック１００の床部材１１０や天部材１２０を構成する３枚の板材１１１，１１２，１１３に対して長尺材１１４を極力真っ直ぐに固定することができる。さらに、床部材１１０に対向する天部材１２０に対して固定する長尺材の上下方向の位置合わせを適切に行うことができ、組立てラック１００の対向する床部材１１０と天部材１２０の間に壁部材１３０，１４０，１５０，１６０を取り付けやすくなる。
【００２８】
（２）また、第一実施形態の組立てラックの組立装置１によれば、組立てラック１００の床部材１１０と天部材１２０とを同時に組み立てる機能を有するので、対向する床部材１１０と天部材１２０に対して固定する長尺材の上下方向の位置合わせをより適切に行うことができ、したがって、組立てラックの対向する床部材１１０と天部材１２０の間に壁部材１３０，１４０，１５０，１６０をさらに取り付けやすくなる。
【００２９】
（３）また、第一実施形態の組立てラックの組立装置１によれば、押圧部３０が、長尺材１１４の長手方向に沿って回転可能な円筒状の３つのローラ部材３１，３２，３３を有しているので、長尺材１１４に対して押圧部３０をスムーズに移動させることができる。
【００３０】
（４）また、第一実施形態の組立てラックの組立装置１によれば、釘打ち機４０が、押圧部３０と連動して移動しながら長尺材１１４に上面１１４ｄから釘を打ちつけて板材１１１，１１２，１１３へ固定していくことができるので、長尺材１１４を板材１１１，１１２，１１３へより強固に固定することができる。
【００３１】
［他の実施形態］
以上、本発明の一実施形態について説明したが、本発明は上記実施形態に限定されるものではなく、以下のような様々な態様にて実施することが可能である。
【００３２】
（１）上記実施形態では、組立てラックの組立装置１が、対向する床部材１１０と天部材１２０を組み立てるように構成されているが、これには限られず、組立てラックの組立装置１が、対向する壁部材１３０と壁部材１５０とを組み立てるように構成してもよいし、対向する壁部材１４０と壁部材１６０とを組み立てるように構成してもよい。
【図面の簡単な説明】
【００３３】
【図１】（ａ）は組立てラック１００を示す斜視図であり、（ｂ）は組立てラック１００の床部材１１０を示す斜視図である。
【図２】組立てラックの組立装置１を示す斜視図である。
【図３】組立てラックの組立装置１を示す正面図である。
【符号の説明】
【００３４】
１…組立装置、３…床部材用組立てユニット、５…天部材用組立てユニット、１０…床部材位置決め部、１１…第一位置決め部、１２…第二位置決め部、１３…第三位置決め部、２０…長尺材位置決め部、２１…第一位置決め部、２２…第二位置決め部、２３…長尺材搬送部、３０…押圧部、３１，３２，３３…ローラ部材、４０…釘打ち機、１００…組立てラック、１１０…床部材、１１１，１１２，１１３…板材、１１４…長尺材、１１４ａ…長尺材の一端、１１４ｂ…長尺材の他端、１１４ｃ…長尺材の左側面、１１４ｄ…長尺材の上面、１１４ｅ…長尺材の右側面、１２０…天部材、１３０，１４０，１５０，１６０…壁部材
【図１】
2009143113.tif 000003
【図２】
2009143113.tif 000004
【図３】
2009143113.tif 000005